(57)【要約】      （修正有）【課題】成人体形の男性がＹシャツを着用後活動的な動きをした時にＹシャツの裾がまくれ上がる事を少なくする為の防止用具を提供する。【解決手段】洗濯ばさみ状のクリップ１等の生地や紙その他物を挟む作用点にて、着用するワイシャツの後ろ身ごろの最下端部９を挟み、その作用点側に対して反対側に位置する力点側の端末１６の２点のうち片方に、着用するワイシャツの前身ごろの最下端の掛けボタン或いはその延長線上の端部８と後ろ身ごろの最下端部９とを臀部下方から股下を通して連結せしめるに足る長さの伸縮する紐状の素材３を結合し、さらにその端末に着用するワイシャツのボタンホールとなる金具４またはボタンホールの有る生地を縫合等で接合した。【選択図】図７
0003190618.tif 000002
【実用新案登録請求の範囲】
【請求項１】
着脱自在である支点力点作用点を利用した洗濯ばさみ状のクリップ等の生地や紙その他物を挟む作用点にて着用するワイシャツの後ろ身ごろの最下端部を挟みその作用点側に対して反対側に位置する力点側の端末２点のうち片方にその長さを着用するワイシャツの前身ごろの最下端の掛けボタン或いはその延長線上の端部と後ろ身ごろの最下端部とを臀部下方から股下を通して連結せしめるに足る長さの伸縮する紐状の素材を結合しさらにその伸縮する紐状の素材のもう一方の端末に着用するワイシャツのボタンホールとなる金具またはボタンホールの有る生地を縫合等で接合したこれらのボタンホールを臀部下方から股下を通して前身ごろの掛けボタン最下部またはその延長線上先端部に取り付けられたボタン、これらボタンのいずれかに掛ける事により着用したワイシャツの裾がまくれ上がる事を少なくするワイシャツの裾のまくれ上がり防止用具。
【請求項２】
「請求項１」の伸縮する紐状の素材に長さ調節用の移動カンを取り付けてその長さの調節を計るワイシャツの裾のまくれ上がり防止用具。
【考案の詳細な説明】
【技術分野】
【０００１】  本考案は成人体型の男性がワイシャツを着用後活動的な動きをした時にワイシャツの裾がまくれ上がる事を少なくする為の用具である。
【背景技術】
【０００２】従来男性がワイシャツを着用して活動的な動きをした時ワイシャツの裾がまくれ上がってしまい修正する時は出来るだけ人目にさらさぬ気配りでの修正となる。又前記の様な状態にならぬように古くからワイシャツ後ろ身ごろの最下端を長くしてさらにその先端よりに作成したボタンホールを臀部下方から股下を通して前身ごろの掛けボタン最下部またはその前身ごろの合わせ用掛けボタンでは無くその延長線上に於いて前記の後ろ身ごろの最下端をながくしてその先端よりに作成したボタンホール用にとりつけられたボタンに掛ける事により裾のまくれ上がりをふせぐというワイシャツを入手する事でこの問題の解決は可能となる。しかしこのようなつくりのワイシャツは白無地が主であったり他の色柄ものであれば舞踏家向け等で特殊であり価格的にも高価な場合が多い。
【考案の概要】
【考案が解決しようとする課題】
【０００３】１、ズボンの中に入れて着用するワイシャツを着用しながら日常の仕事や雑務をこなしていく時に裾がまくれ上がってくるのは気になる事である。時にはワイシャツの一部がズボンの外にはみだしてしまう時もある。接客業や大事な場面では印象的にはマイナス、さらにはその時の仕事や目的に対する集中力に影響する事もかんがえられる。２、上記の様な裾のまくれ上がりを少なくしようとする手段に於いて市販のワイシャツでワイシャツ後ろ身ごろの最下端を長くしてさらにその先端よりに作成したボタンホールを臀部下方から股下を通して前身ごろの掛けボタン最下部またはさらに前身ごろの合わせ用掛けボタンでは無くその延長線上に於いて前記の後ろ身ごろの最下端を長くしてさらにその先端よりに作成したボタンホール用にとりつけられたボタンに掛ける事により裾のまくれ上がりをふせぐというワイシャツを入手する事でこの問題の解決は可能となる。しかしこのようなつくりのワイシャツは白無地が主であったり他の色柄ものであれば舞踏家向け等で特殊であり価格的にも高価な場合が多い。
【課題を解決する為の手段】
【０００４】１、着脱自在である支点力点作用点を利用した洗濯ばさみ状のクリップ等の生地や紙その他物を挟む作用点にて着用するワイシャツの後ろ身ごろの最下端部を挟みその作用点側に対して反対側に位置する力点側の端末２点のうち片方にその長さを着用するワイシャツの前身ごろの最下端の掛けボタン或いはその延長線上の端部と後ろ身ごろの最下端部とを臀部下方から股下を通して連結せしめるに足る長さの伸縮する紐状の素材を結合しさらにその端末に着用するワイシャツのボタンホールとなる金具またはボタンホールの有る生地を縫合等で接合したこれらのボタンホールを臀部下方から股下を通して前身ごろの掛けボタン最下部またはその延長線上先端部に取り付けられたボタン、これらボタンのいずれかに掛ける事により着用したワイシャツの裾がまくれ上がる事を少なくする。２、上記の伸縮する紐状の素材に長さ調節用の移動カンを取り付けてその長さの調節を計る。
【考案の効果】
【０００５】  ワイシャツ単独で後ろ身ごろの最下部から臀部下方そして股下を通して前身ごろ最下部とを連結する機能の無いワイシャツを着用する場合に於いて前記の支点力点作用点を利用した洗濯ばさみ状のクリップ、伸縮する紐状の素材、ワイシャツのボタンホールとなる金具またはボタンホールの有る生地が一体化された本考案のワイシャツの裾のまくれ上がり防止用具の支点力点作用点を利用した洗濯ばさみ状のクリップで後ろ身ごろの最下端部を挟み他方の一端であるボタンホールとなる金具またはボタンホールの有る生地を臀部下方から股下を通して前身ごろの掛けボタン最下部に、またはその延長線上先端部にとりつけられたボタン、これらのボタンに掛ける事により裾のまくれ上がりをふせぐ。又着用するワイシャツによっては後ろ身ごろの最下部から臀部下方から股下を通して前身ごろ最下部または掛けボタン最下部までの距離が違うので伸縮する紐状の素材に送り金具の移動カンを取り付けその移動カンを利用することによりその長さの調節を計れば本考案のワイシャツの裾のまくれ上がり防止用具がひとつあれば色んなワイシャツを着用する時もワイシャツの裾のまくれ上がりをすくなくする事が可能である。
【考案を実施する為の最良の形態】
【０００６】  支点力点作用点を利用した洗濯ばさみ状のクリップ等の生地や紙その他物を挟む作用点側に対して反対側に位置する力点側の端末２点のうち片方にその長さを着用するワイシャツの前身ごろの最下端の掛けボタン或いはその延長線上の端部と後ろ身ごろの最下端部とを臀部下方から股下を通して連結せしめるに足る長さを有する伸縮する紐状の素材を通す為の穴を設けてその伸縮する紐状の素材を通した後はその力点側端部を巻き込んだまま伸縮する紐状の素材の端末にて縫合等で結合し伸縮する紐状の素材のもう一方の端末に着用するワイシャツのボタンホールとなる金具またはボタンホールの有る生地を縫合等により接合したワイシャツの裾のまくれ上がり防止用具。
【０００７】  １、支点力点作用点を利用した洗濯ばさみ状のクリップ等の生地や紙その他物を挟む作用点側に対して反対側に位置する力点側の端末２点の内片方にその長さを着用するワイシャツの前身ごろの最下端の掛けボタン或いはその延長線上の端部と後ろ身ごろの最下端部とを臀部下方から股下を通して連結せしめるに足る長さを有する伸縮する紐状の素材が無理なく行き来できるだけの穴を設けその穴へその伸縮する紐状の素材端部に着用するワイシャツのボタンホールとなる金具またはボタンホールの有る生地を縫合等により接合した側から通過させておきその伸縮する紐状の素材のもう一方の端部を移動カンの中央心棒に巻きつけて折り返しその伸縮する紐状の素材の端部にて縫合等で結合する。  ２、前記の支点力点作用点を利用した洗濯ばさみ状のクリップ等の力点側の片方に設けた穴を通過した後の伸縮する紐状の素材のボタンホールとなる金具またはボタンホールの有る生地を縫合等により接合した側をさらにその移動カンに対して伸縮する紐状の素材の長さを有する側の移動カンの片方の穴から通過させた後にこの移動カンの伸縮する紐状の素材の端部が縫合等で結合された中央心棒をまたぐ様にしてこの移動カンの他方の穴へ通過させその長さの調節が可能なワイシャツの裾のまくれ上がり防止用具。
【図面の簡単な説明】
【０００８】
【図１】支点力点作用点を利用した洗濯ばさみ状のクリップと伸縮する紐状の素材、ボタンホールとなる金具が一体化された状態の斜視図
【図２】伸縮する紐状の素材の端末にボタンホールの有る生地が結合されている状態の斜視図
【図３】送り金具の移動カンの斜視図
【図４】送り金具の移動カンの中央心棒に伸縮する紐状の素材の端末を巻きつけて結合した状態の斜視図
【図５】支点力点作用点を利用した洗濯ばさみ状のクリップの端末の穴にボタンホールの有る側の伸縮する紐状の素材の端末を通した状態の斜視図
【図６】支点力点作用点を利用した洗濯ばさみ状のクリップと送り金具の移動カンが取り付けられた伸縮する紐状の素材、ボタンホールとなる金具が一体化された状態の斜視図
【図７】支点力点作用点を利用した洗濯ばさみ状のクリップと伸縮する紐状の素材、ボタンホールとなる金具が一体化されたものをワイシャツ着用時に利用した場合の斜視図
【符号の説明】
【０００９】１      支点力点作用点を利用した洗濯ばさみ状のクリップ２      伸縮する紐状の素材を通す為の穴３      伸縮する紐状の素材４      ボタンホールとなる金具５      ボタンホールの有る生地６      ボタンホール６イ    ボタンホール７      掛けボタン８      ワイシャツ前身ごろの掛けボタン側の下端部９      ワイシャツ後ろ身ごろの下端部１０    送り金具の移動カン１１    送り金具の移動カンの中央心棒１２    送り金具の移動カンの中央心棒に伸縮する紐状の素材の端末を巻きつけて縫合等        で結合した部位１３    送り金具の移動カンがその中央心棒によって分割作成される片方の穴１４    伸縮する紐状の素材が巻きついた送り金具の中央心棒１５    送り金具の移動カンがその中央心棒によって分割作成される片方の穴１６    支点力点作用点を利用した洗濯ばさみ状のクリップの力点側Ｂ２の最端未１７    支点力点作用点を利用した洗濯ばさみ状のクリップのバネとなる金具Ａ      支点力点作用点を利用した洗濯ばさみ状のクリップの作用点Ｂ１    支点力点作用点を利用した洗濯ばさみ状のクリップの力点の端部Ｂ２    支点力点作用点を利用した洗濯ばさみ状のクリップの力点の端部Ｃ      伸縮する紐状の素材の端部が支点力点作用点を利用した洗濯ばさみ状のクリップ        の力点側Ｂ２の最端末１６を巻き込んだ後の縫合等で結合した部位Ｄ      伸縮する紐状の素材の端末にボタンホールとなる金具が結合している部位Ｄイ    伸縮する紐状の素材の端末にボタンホールの有る生地が結合している部位Ｅ      支点力点作用点を利用した洗濯ばさみ状のクリップの支点
【実施例】
【００１０】  以下添付図面に従って一実施例を説明する。図１の様な支点力点作用点を利用した洗濯ばさみ状のクリップ１の物を挟む作用点Ａ側に対して反対側に位置する力点側の端末２点Ｂ１Ｂ２の内片方Ｂ２にその長さを着用するワイシャツの前身ごろの最下端の掛けボタン図７の７或いはその延長線上の端部８と後ろ身ごろの最下端部９とを臀部下方から股下を通して連結せしめるに足る長さを有する伸縮する紐状の素材３を通す為の適当な穴２を設けてその伸縮する紐状の素材３を通した後はその力点側Ｂ２の最端末１６を巻き込んだまま伸縮する紐状の素材３の端末Ｃにて縫合等で結合し伸縮する紐状の素材３のもう一方の端末のＤに着用するワイシャツのボタンホール６となる金具４または図２のボタンホール６イの有る生地５をＤイにて縫合等により接合したワイシャツの裾のまくれ上がり防止用具。【００１１】  又着用するワイシャツによっては後ろ身ごろの最下部から臀部下方から股下を通して前身ごろ最下部または掛けボタン最下部までの距離が違うので伸縮する紐状の素材３に利用するのに都合の良いサイズの図３の１０の様な送り金具の移動カンの中央心棒１１に伸縮する紐状の素材３を図４の様に巻きつけて折り返したその伸縮する紐状の素材の端部１２にて縫合等で結合し図５に示す様に前記の支点力点作用点を利用した洗濯ばさみ状のクリップ１の力点側の片方Ｂ２に設けた穴２を通過した後のボタンホールとなる金具４側の伸縮する紐状の素材３をさらに図６の様にその移動カン１０に対して伸縮する紐状の素材３の長さを有する側の移動カンの片方の穴図６の１３から通過させた後この移動カン１０の伸縮する紐状の素材３が縫合等で結合された中央心棒１４をまたぐ様にしてこの移動カンの他方の穴１５へ通過させた図６のようにしてその長さの調節を計りながら使用するワイシャツの裾のまくれ上がり防止用具。
【図１】
0003190618.tif 000003
【図２】
0003190618.tif 000004
【図３】
0003190618.tif 000005
【図４】
0003190618.tif 000006
【図５】
0003190618.tif 000007
【図６】
0003190618.tif 000008
【図７】
0003190618.tif 000009
【手続補正書】
【提出日】平成26年2月22日(2014.2.22)
【手続補正１】
【補正対象書類名】実用新案登録請求の範囲
【補正対象項目名】全文
【補正方法】変更
【補正の内容】
【実用新案登録請求の範囲】
【請求項１】
着脱自在である支点力点作用点を利用した洗濯ばさみ状のクリップの生地や紙その他物を挟む作用点にて着用するワイシャツの後ろ身ごろの最下端部を挟みその作用点側に対して反対側に位置する力点側の端末２点のうち片方にその長さを着用するワイシャツの前身ごろの最下端の掛けボタン或いはその延長線上の端部と後ろ身ごろの最下端部とを臀部下方から股下を通して連結せしめるに足る長さの伸縮する紐状の素材を結合しさらにその伸縮する紐状の素材のもう一方の端末に着用するワイシャツのボタンホールとなる金具またはボタンホールの有る生地を縫合で接合したこれらのボタンホールを臀部下方から股下を通して前身ごろの掛けボタン最下部またはその延長線上先端部に取り付けられたボタン、これらボタンのいずれかに掛ける事により着用したワイシャツの裾がまくれ上がる事を少なくするワイシャツの裾のまくれ上がり防止用具。
【請求項２】
請求項１に記載のワイシャツの裾のまくれ上がり防止用具であって、前記伸縮する紐状の素材に長さ調節用の移動カンを取り付けてその長さの調節を計ることを特徴とするワイシャツの裾のまくれ上がり防止用具。